(57)【要約】  枕（１０）は、ユーザの頭部が載置され得る上面部（１４）および枕支持物上に配置されるための下面部（１６）が設けられている、弾性的に変形可能な素材で作られている本体（１２）を備えている。上面部（１４）は、少なくとも一つの肩側部（１８、１８ｂ）によって下面部（１６）に連結されている。上記肩側部には、ユーザが仰向けに横たわっているときにユーザの頸椎のための解放空間を形成し、且つユーザが横向きに横たわっているときにユーザの肩のための収容空間を形成する、肩切欠部（２０Ａ、２０Ｂ）が設けられている。上面部（１４）は、好ましくは、頭部受け凹所（２２）と呼ばれる、ユーザ（Ｈ）の頭部を部分的に収容する凹所（２２）を備えている。
2007514451.tif 000002
【特許請求の範囲】
【請求項１】
ユーザ（Ｈ）の頭部が載置され得る上面部（１４）および枕支持物上に配置されるべく設計された下面部（１６）が設けられている、弾性的に変形可能な素材の本体（１２）を備え、上面部（１４）は、少なくとも一つの肩側部（１８Ａ、１８Ｂ）によって下面部（１６）に連結されているタイプの枕であって、肩側部（１８Ａ、１８Ｂ）には、仰向けに横たわっているときのユーザ（Ｈ）の頸椎のための解放空間と、横向きに横たわっているときのユーザ（Ｈ）の肩のための収容空間との両方を形成する、肩切欠部（２０Ａ、２０Ｂ）が設けられていることを特徴とする、枕。
【請求項２】
上面部（１４）は、頭部受け凹所（２２）と呼ばれる、ユーザ（Ｈ）の頭部を部分的に収容する凹所（２２）を含むことを特徴とする、請求項１に記載の枕。
【請求項３】
上面部（１４）は、ユーザ（Ｈ）の首と本体（１２）の上面部（１４）との間の接触を防止しまたは少なくとも制限するように、頭部受け凹所（２２）と肩切欠部（２０Ａ、２０Ｂ）との間に延びる頸部解放空間を形成する、頸部連結ガター（２４Ａ、２４Ｂ）を含むことを特徴とする、請求項２に記載の枕。
【請求項４】
変形可能な素材の本体（１２）は、耳開口部（２６）と呼ばれる、一端にて頭部受け凹所（２２）内に開口し、且つ他端にて下面部（１６）に開口する開口部（２６）を含み、この耳開口部（２６）は、ユーザ（Ｈ）が横向きに横たわっているときに枕に接触しているユーザ（Ｈ）の耳の圧縮を防止し、または少なくとも制限することを可能にすることを特徴とする、請求項２または３に記載の枕。
【請求項５】
上面部（１４）は、各々ユーザが所望する通りにユーザ（Ｈ）の肩に接触することができる、２つの対向する肩側部（１８Ａ、１８Ｂ）によって下面部（１６）に連結され、これら２つの対向する肩側部（１８Ａ、１８Ｂ）には、各々肩切欠部（２０Ａ、２０Ｂ）が設けられていることを特徴とする、請求項１から４のいずれか一項に記載の枕。
【請求項６】
上面部（１４）は、各々頭部位置決め凹所（２２）と対応する肩切欠部（２０Ａ、２０Ｂ）との間に延びる、２つの頸部連結ガター（２４Ａ、２４Ｂ）を含むことを特徴とする、請求項３および５の両方に記載の枕。
【請求項７】
上面部（１４）および下面部（１６）は、形状が類似しており、且つ各々他方の代わりとして使用され得ることを特徴とする、請求項１から６のいずれか一項に記載の枕。
【請求項８】
本体（１２）は、上面部（１４）を形成する本体（１２）の該当部分が、比較的高密度であって、したがって冬に適し、下面部（１６）を形成する本体（１２）の該当部分が、比較的通気性がよく、したがって夏に適するようにして、複合素材から作られることを特徴とする、請求項７に記載の枕。
【請求項９】
変形可能な素材の本体（１２）の全体形状は、角柱の全体形状であることを特徴とする、請求項１から８のいずれか一項に記載の枕。
【請求項１０】
変形可能な素材の本体（１２）の角柱の全体形状は、その底面に等脚台形を有し、この台形の２つの平行な辺の各々は、肩側部（１８Ａ、１８Ｂ）を形成し、台形の他の２つの辺は、本体（１２）の上面部（１４）および下面部（１６）を形成することを特徴とする、請求項９に記載の枕。
【請求項１１】
変形可能な素材の本体（１２）は、発泡体から作られることを特徴とする、請求項１から１０のいずれか一項に記載の枕。
【発明の詳細な説明】
【技術分野】
【０００１】
本発明は、整骨療法用枕に関する。
【背景技術】
【０００２】
従来技術には、ユーザの頭部が載置され得る上面部および枕支持物上に配置されるべく設計された下面部が設けられている、弾性的に変形可能な素材の本体を備え、上面部は、少なくとも一つの肩側部（ｃｏｔｅ  ｓｃａｐｕｌａｉｒｅ）によって下面部に連結されているタイプの枕が既に存在する。
【発明の開示】
【発明が解決しようとする課題】
【０００３】
一般的にいえば、解剖学的枕の形状は、ユーザの頸椎を支持すべく構成されている。実際、頸椎は、安静に横たわっている期間において支持を必要とすると一般に思われている。
【０００４】
しかしながら、通常、一日の終わりには、人の頸部前弯は、頸筋の収縮につながる首における張力によって一層倍加されている。それゆえ、安静に横たわっている期間においてそれらを支持しないことによって、頸椎を解放することが一層適切であろう。
【０００５】
本発明の目的は、安静に横たわっている期間において、この脊椎分節をリラックスさせる目的で頸椎の緩やかで且つ漸進的なストレッチを可能とするであろう、上述のタイプの枕を提供することにある。
【課題を解決するための手段】
【０００６】
このために、本発明の主題は、肩側部には、仰向けに横たわっているときのユーザの頸椎のための解放空間（ｄｅｇａｇｅｍｅｎｔ）と、横向きに横たわっているときのユーザの肩のための収容空間との両方を形成する、肩切欠部（ｅｃｈａｎｃｒｕｒｅ）が設けられていることを特徴とする、上述のタイプの枕である。
【０００７】
この枕の他の特徴は、以下の通りである。
・  上面部が、頭部受け凹所と呼ばれ、ユーザの頭部を部分的に収容する、凹所を含む。
・  上面部が、ユーザの首と本体の上面部との間の接触を防止、または少なくとも制限するように、頭部受け凹所と肩切欠部との間に延びる頸部解放空間を形成する、頸部連結ガター（ｇｏｕｔｔｉｅｒｅ、ｇｕｔｔｅｒ）を含む。
・  変形可能な素材の本体が、耳開口部と呼ばれ、一端にて頭部受け凹所内に開口し、且つ他端にて下面部に開口する開口部を含み、この耳開口部は、ユーザが横向きに横たわっているときに枕に接触しているユーザの耳の圧縮を防止しまたは少なくとも制限することを可能にする。
・  上面部は、各々ユーザが所望する通りにユーザの肩に接触することができる、２つの対向する肩側部によって下面部に連結され、これら２つの対向する肩側部には、各々肩切欠部が設けられている。
・  上面部は、各々頭部位置決め凹所と対応する肩切欠部との間に延びる２つの頸部連結ガターを含む。
・  上面部および下面部は、形状が類似しており且つ各々他方の代わりとして使用され得る。
・  本体は、上面部を形成する本体の該当部分が、比較的高密度であって、したがって冬に適し、下面部を形成する本体の該当部分が、比較的通気性がよく、したがって夏に適するようにして、複合素材から作られる。
・  変形可能な素材の本体の全体形状は、角柱の全体形状である。
・  変形可能な素材の本体の角柱の全体形状は、その底面に等脚台形を有し、この台形の２つの平行な辺の各々は、肩側部を形成し、台形の他の２つの辺は、本体の上面部および下面部を形成する。
・  変形可能な素材の本体は、発泡体から作られる。
【０００８】
本発明のより明確な理解は、図面を参照して、単に例として与えられる、以下の説明を読むことによって得られるであろう。
【発明を実施するための最良の形態】
【０００９】
図は、包括的な参照符号１０によって示された、本発明によるいわゆる整骨療法用枕を示している。
【００１０】
枕１０は、弾性的に変形可能な素材、好ましくは合成または天然発泡体から作られている本体１２を備えており、素材は抗ダニ性であってもよい。
【００１１】
変形可能な素材の本体１２は、任意に枕カバー（図示せず）で覆われていてもよい。
【００１２】
図示された例においては、変形可能な素材の本体１２の全体形状は、プリズムの全体形状である。より詳細には、本体１２は、その底面に等脚台形Ｔを有し、その外形は図２に示されている。
【００１３】
変形可能な素材の本体１２には、ユーザＨの頭部がその上に載置され得る上面部１４が設けられている。変形可能な素材の本体１２には、通常、マットレスのような寝具であろう、枕１０支持物上に配置されるべく設計されている下面部１６も設けられている。
【００１４】
上面部１４は、ユーザＨの肩または両肩に接触するように設計されている第１の肩側部１８Ａによって、下面部１６に連結されている。
【００１５】
第１の肩側部１８Ａには、図２および図３に示されるように、このユーザが横向きに横たわったときのユーザＨの肩のための収容空間を形成する、第１の肩切欠部２０Ａが設けられている。この第１の切欠部２０Ａは、図４に示されるように、このユーザＨが仰向けで横たわったときのユーザＨの頸椎のための解放空間を形成している。
【００１６】
加えて、上面部１４は、頭部受け凹所２２と呼ばれる、凹所２２を含んでおり、凹所はユーザＨの頭部を部分的に収容している。
【００１７】
第１の肩切欠部２０Ａは、第１の頸部連結ガター２４Ａによって頭部受け凹所２２に連結されている。このガター２４Ａは、ユーザＨの首と本体１２の上面部１４との間の接触を防止しまたは少なくとも制限すべく設計された頸部解放空間を形成している。
【００１８】
変形可能な素材の本体１２は、耳開口部２６と呼ばれ、一端にて頭部受け凹所２２内に開口し、且つ他端にて本体１２の下面部１６に開口する、開口部２６を含んでいる。この耳開口部２６の機能は、図２および図３に示されるように、ユーザＨが横向きに横たわっているときに枕１０に接触するユーザＨの耳の圧縮を防止しまたは少なくとも制限することである。
【００１９】
上面部１４は、第１の肩側部１８Ａに対向する第２の肩側部１８Ｂによって、下面部１６に連結されている。
【００２０】
台形Ｔの２つの平行な辺が、２つの肩側部１８Ａ、１８Ｂを画定していることが分かるであろう。台形Ｔの他の２つの辺は、変形可能な素材の本体１２の上面部１４および下面部１６を形成している。
【００２１】
第２の肩側部１８Ｂには、第１の肩側部１８Ａのように、第１の切欠部２０Ａと同様の機能を有する第２の肩切欠部２０Ｂが設けられている。
【００２２】
変形可能な素材の本体１２の上面部１４には、また、頭部受け凹所２２と第２の肩切欠部２０Ｂとの間に延びる、第２の頸部ガター２４Ｂも設けられている。
【００２３】
好みの問題として、本体１２の上面部１４および下面部１６は、形状が同様であり、そして各々他方の代わりとして使用可能である。
【００２４】
それゆえ、下面部１６は、上面部１４のように頭部受け凹所２２を備えており、そこには、耳開口部２６の開口端、および２つの頸部ガター２４Ａ、２４Ｂが位置している。
【００２５】
必要に応じて、本体１２の素材は、例えば上面部１４を形成する本体１２の該当部分が、比較的高密度であって、したがって冬に適し、下面部１６を形成する本体１２の該当部分が、比較的通気性がよく、したがって夏に適するようにして、複合素材としてもよい。
【００２６】
枕１０の発明に関連する主たる使用形態は、以下に詳細に詳述されるであろう。
【００２７】
図２および図３に示されるように、ユーザＨが横向きに横たわっているとき、ユーザは頭部を、枕の上面部１４に形成されたような凹所２２内に配置する。
【００２８】
枕に接触するユーザＨの耳は、少なくとも部分的に耳開口部２６内に位置する。このことは、この耳における圧縮を制限する。ユーザＨが横になるときに、枕１０に接触している肩は、ユーザの頭部に向かって近付こうとする傾向を有していることが分かるであろう。肩切欠部２０Ａは、頭部に近いこの肩を収容する。
【００２９】
連結ガター２４Ａは、ユーザＨの頸椎のための解放空間を形成しており、そのためこの脊椎分節が、枕１０上にほとんど載置されない。これは、頸椎の穏やかな、漸進的なストレッチを可能とする。
【００３０】
上面部１４および下面部１６は、第２の肩側部１８Ｂから、第２の肩側部１８Ｂよりも低い、第１の肩側部１８Ａに向かって収束していることが分かるであろう。このことは、枕１０が、異なるユーザＨの形態に適合されることを可能とする。子供は、第１の肩側部１８Ａ（より低い側）を自分の肩に接して配置するのがよいことがわかり、同時に大人は、第２の肩側部１８Ｂ（より高い側）を自分の肩に接して配置するのがよいことが分かるであろう。
【００３１】
図４に示されるように、ユーザＨは、仰向けに横たわっているとき、本体１２の上面部１４に形成されているような頭部位置決め凹所２２に頭部を配置する。
【００３２】
第１の肩側部１８ＡがユーザＨの肩に接していると仮定すると、切欠部２０Ａおよび頸部ガター２４Ａは、頸椎と枕１０の間の接触を防止しまたは少なくとも制限する解放空間を形成する。頸椎は、それゆえ、ユーザが横たわっている間にこの脊椎分節をリラックスさせる目的で、穏やかに且つ漸進的にストレッチし得る。
【００３３】
耳開口部２６は、ユーザＨのいかなる発汗をも制限しおよび／またはこの汗を除去するのを補助するようにして、枕１０の通気性を最適化することが分かるであろう。
【図面の簡単な説明】
【００３４】
【図１】本発明に従った枕の斜視図である。
【図２】頭部を枕上において横向きに横たわっているユーザを示す、図１にて説明された枕の、長手方向断面を有する側面図である。
【図３】横向きに横たわっているユーザを示す、先の図にて説明された枕の上面図である。
【図４】仰向けに横たわっているユーザを示す、先の図にて説明された枕の上面図である。
【図１】
2007514451.tif 000003
【図２】
2007514451.tif 000004
【図３】
2007514451.tif 000005
【図４】
2007514451.tif 000006
【国際調査報告】
2007514451.tif 000007
2007514451.tif 000008
2007514451.tif 000009
2007514451.tif 000010
2007514451.tif 000011
2007514451.tif 000012